(57)【要約】【課題】  各種情報を含めて複数の撮影画像を順次切り換えて表示することで、より付加価値の高いスライドショー表示を実現する。【解決手段】  表示部６が縦長表示位置（通常モード）となっている場合には、縦長表示位置の表示部６の上半分にカレンダを表示し、表示部６の下半分にスライド対象の画像をスライドショー表示する。同様に、充電台にセットされ、表示部６が横長表示位置（ビューワモード）になっている場合には、横長表示位置の表示部６の右半分（すなわち縦位置における上半分）にカレンダを表示し、表示部６の左半分（すなわち縦位置における下半分）にスライド対象の画像をスライドショー表示する。【選択図】  図１１
2006078750.tif 000002
【特許請求の範囲】
【請求項１】
少なくも画像表示機能を有する携帯型情報処理装置であって、
複数の画像と複数の付加情報とを記憶する記憶手段と、
前記複数の画像および前記複数の付加情報を表示する表示手段と、
前記複数の付加情報のうち、いずれの付加情報を表示するモードであるかを判別する付加情報判別手段と、
前記記憶手段に記憶されている複数の付加情報のうち、前記付加情報判別手段による判別結果に基づく付加情報を前記表示手段の一部領域に表示するとともに、前記記憶手段に記憶されている複数の画像を前記表示手段の他の領域に順次切り換えて表示する表示制御手段と
を具備することを特徴とする携帯型情報処理装置。
【請求項２】
前記複数の付加情報は、少なくとも、当月のカレンダを表す日付情報を含み、
前記表示制御手段は、前記日付情報で表される当月のカレンダを提示するカレンダ画像を前記表示手段の一部領域に表示することを特徴とする請求項１記載の携帯型情報処理装置。
【請求項３】
前記複数の付加情報は、少なくとも、現在の日時を表す日時情報を含み、
前記表示制御手段は、前記日時情報で表される日時を提示する時計画像を前記表示手段の一部領域に表示することを特徴とする請求項２記載の携帯型情報処理装置。
【請求項４】
前記表示手段は、縦長表示画面を有し、縦長状態で表示する縦長表示状態と横長状態で表示する横長表示状態との切り換えが可能であり、
前記表示制御手段は、前記表示手段が縦長表示状態にあるとき、前記付加情報と前記画像とを、前記表示手段の縦長方向で上下に分けて表示し、前記表示手段が横長表示状態にあるとき、前記付加情報と前記画像とを、前記表示手段の横長方向で左右に分けて表示することを特徴とする請求項１記載の携帯型情報処理装置。
【請求項５】
表示画面に画像を表示する際の情報提示方法であって、
複数の付加情報のうち、いずれの付加情報を表示するモードであるかを判別し、この判別結果に基づく付加情報を前記表示画面の一部領域に表示するとともに、複数の画像を前記表示画面の他の領域に順次切り換えて表示することを特徴とする情報提示方法。
【請求項６】
縦長表示画面を有し、縦長状態で表示する縦長表示状態と横長状態で表示する横長表示状態との切り換えが可能な表示画面に画像を表示するための情報提示プログラムであって、
複数の付加情報のうち、いずれの付加情報を表示するモードであるかを判別するステップと、
前記表示画面が縦長表示状態にあるとき、前記付加情報と前記画像とを、前記表示画面の縦長方向で上下に分けて表示するステップと、
前記表示画面が横長表示状態にあるとき、前記付加情報と前記画像とを、前記表示画面の横長方向で左右に分けて表示するステップと
をコンピュータに実行させることを特徴とする情報提示プログラム。
【発明の詳細な説明】
【技術分野】
【０００１】
本発明は、携帯型情報処理装置、情報提示方法および情報提示プログラムに関する。
【背景技術】
【０００２】
従来より、デジタルカメラなどにおいては、充電台に設置することで、自動的に記録されている画像データを表示部で、所定の時間間隔で次々に画像データを再生表示するスライドショー機能を起動する技術が提案されている（例えば特許文献１参照）。また、商用電源駆動時に操作なしでスライドショー機能を起動する技術が提案されている（例えば特許文献２参照）。
【特許文献１】特開２０００−３３３０４６号公報
【特許文献２】特開平１１−３１３２２９号公報
【発明の開示】
【発明が解決しようとする課題】
【０００３】
ところで、近年、折り畳み型携帯電話では、静止や動画の撮影、再生機能を備えており、表示部を縦長または横長にして、静止画や動画の再生を行っている。しかしながら、上記特許文献１および特許文献２による従来技術では、デジタルカメラを想定しているので、折り畳み携帯電話におけるスライドショー機能を想定したものでなく、また、折り畳み型携帯電話の表示部や使用形態を考慮したスライドショー機能についても言及していない。このため、表示部を縦長または横長にして、静止画や動画の再生を行う折り畳み型携帯電話では、上述した従来技術をそのまま適用することが難しいという問題があった。
【０００４】
また、上記折り畳み型携帯電話では、計算機能やカレンダ機能などの多様な情報を取り扱うことができるようになってきている。しかし、上述した従来技術では、スライドショー機能による画像再生は、表示全画面に表示されることを前提としており、他の情報も合わせて表示することまで想定しない。このため、様々な情報を取り扱うようになってきた上記折り畳み型携帯電話においては、従来技術のようなスライドショー機能では、様々な情報を効果的にユーザに提示することができないという問題があった。
【０００５】
そこで本発明は、各種情報を含めて複数の撮影画像を順次切り換えて表示することで、より付加価値の高いスライドショー表示を実現することができる携帯型情報処理装置、情報提示方法および情報提示プログラムを提供することを目的とする。
【課題を解決するための手段】
【０００６】
上記目的達成のため、請求項１記載の発明による携帯型情報処理装置は、少なくも画像表示機能を有する携帯型情報処理装置であって、複数の画像と複数の付加情報とを記憶する記憶手段と、前記複数の画像および前記複数の付加情報を表示する表示手段と、前記複数の付加情報のうち、いずれの付加情報を表示するモードであるかを判別する付加情報判別手段と、前記記憶手段に記憶されている複数の付加情報のうち、前記付加情報判別手段による判別結果に基づく付加情報を前記表示手段の一部領域に表示するとともに、前記記憶手段に記憶されている複数の画像を前記表示手段の他の領域に順次切り換えて表示する表示制御手段とを具備することを特徴とする。
【０００７】
また、好ましい態様として、例えば請求項２記載のように、請求項１記載の携帯型情報処理装置において、前記複数の付加情報は、少なくとも、当月のカレンダを表す日付情報を含み、前記表示制御手段は、前記日付情報で表される当月のカレンダを提示するカレンダ画像を前記表示手段の一部領域に表示するようにしてもよい。
【０００８】
また、好ましい態様として、例えば請求項３記載のように、請求項２記載の携帯型情報処理装置において、前記複数の付加情報は、少なくとも、現在の日時を表す日時情報を含み、前記表示制御手段は、前記日時情報で表される日時を提示する時計画像を前記表示手段の一部領域に表示するようにしてもよい。
【０００９】
また、好ましい態様として、例えば請求項４記載のように、請求項１記載の携帯型情報処理装置において、前記表示手段は、縦長表示画面を有し、縦長状態で表示する縦長表示状態と横長状態で表示する横長表示状態との切り換えが可能であり、前記表示制御手段は、前記表示手段が縦長表示状態にあるとき、前記付加情報と前記画像とを、前記表示手段の縦長方向で上下に分けて表示し、前記表示手段が横長表示状態にあるとき、前記付加情報と前記画像とを、前記表示手段の横長方向で左右に分けて表示するようにしてもよい。
【００１０】
また、上記目的達成のため、請求項５記載の発明による情報提示方法は、表示画面に画像を表示する際の情報提示方法であって、複数の付加情報のうち、いずれの付加情報を表示するモードであるかを判別し、この判別結果に基づく付加情報を前記表示画面の一部領域に表示するとともに、複数の画像を前記表示画面の他の領域に順次切り換えて表示することを特徴とする。
【００１１】
また、上記目的達成のため、請求項６記載の発明による情報提示プログラムは、縦長表示画面を有し、縦長状態で表示する縦長表示状態と横長状態で表示する横長表示状態との切り換えが可能な表示画面に画像を表示するための情報提示プログラムであって、複数の付加情報のうち、いずれの付加情報を表示するモードであるかを判別するステップと、前記表示画面が縦長表示状態にあるとき、前記付加情報と前記画像とを、前記表示画面の縦長方向で上下に分けて表示するステップと、前記表示画面が横長表示状態にあるとき、前記付加情報と前記画像とを、前記表示画面の横長方向で左右に分けて表示するステップとをコンピュータに実行させることを特徴とする。
【発明の効果】
【００１２】
請求項１記載の発明によれば、複数の画像と複数の付加情報とを記憶手段に記憶し、付加情報判別手段により、前記複数の付加情報のうち、いずれの付加情報を表示するモードであるかを判別し、表示制御手段により、前記記憶手段に記憶されている複数の付加情報のうち、前記付加情報判別手段による判別結果に基づく付加情報を前記表示手段の一部領域に表示するとともに、前記記憶手段に記憶されている複数の画像を前記表示手段の他の領域に順次切り換えて表示するようにしたので、より付加価値の高いスライドショー表示を実現することができるという利点が得られる。
【００１３】
また、請求項２記載の発明によれば、前記表示制御手段により、日付情報で表される当月のカレンダを提示するカレンダ画像を前記表示手段の一部領域に表示するようにしたので、より付加価値の高いスライドショー表示を実現することができるという利点が得られる。
【００１４】
また、請求項３記載の発明によれば、前記表示制御手段により、前記日時情報で表される日時を提示する時計画像を前記表示手段の一部領域に表示するようにしたので、より付加価値の高いスライドショー表示を実現することができるという利点が得られる。
【００１５】
また、請求項４記載の発明によれば、前記表示制御手段により、前記表示手段が縦長表示状態にあるとき、前記付加情報と前記画像とを、前記表示手段の縦長方向で上下に分けて表示し、前記表示手段が横長表示状態にあるとき、前記付加情報と前記画像とを、前記表示手段の横長方向で左右に分けて表示するようにしたので、より付加価値の高いスライドショー表示を実現することができるという利点が得られる。
【００１６】
また、請求項５記載によれば、複数の付加情報のうち、いずれの付加情報を表示するモードであるかを判別し、この判別結果に基づく付加情報を前記表示画面の一部領域に表示するとともに、複数の画像を前記表示画面の他の領域に順次切り換えて表示するようにしたので、より付加価値の高いスライドショー表示を実現することができるという利点が得られる。
【００１７】
また、請求項６記載の発明によれば、複数の付加情報のうち、いずれの付加情報を表示するモードであるかを判別するステップと、前記表示画面が縦長表示状態にあるとき、前記付加情報と前記画像とを、前記表示画面の縦長方向で上下に分けて表示するステップと、前記表示画面が横長表示状態にあるとき、前記付加情報と前記画像とを、前記表示画面の横長方向で左右に分けて表示するステップとをコンピュータに実行させるようにしたので、より付加価値の高いスライドショー表示を実現することができるという利点が得られる。
【発明を実施するための最良の形態】
【００１８】
以下、本発明の実施の形態を、図面を参照して説明する。
【００１９】
Ａ．実施形態の構成
図１は、本発明の実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００２０】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００２１】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００２２】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音などを鳴動するためのスピーカ７Ｒ、７Ｌが配置されている。
【００２３】
第１磁気センサ２８と第２磁気センサ２９とは、本体部３の内面であって自由端側の隅部に配置されている。より詳しくは、第１磁気センサ２８は、図１の状態から図１（ｂ）に示すように、蓋部２を表示部６とキー入力部８と対面させる形で折り畳んだ状態で、第１スピーカ５と重なる位置に配置されている。したがって、この折り畳み状態において第１磁気センサ２８は、第１スピーカ５が有する磁気回路の磁気を検出することが可能となり、この磁気の検出の有無を出力する。言い換えると、第１磁気センサ２８が磁気を検出している場合には、図１（ｂ）に示すように、蓋部２が閉じられた状態であることが分かるようになっている。
【００２４】
また、第２磁気センサ２９は、蓋部２を開いて、第１ヒンジ部１００を軸にして回動させ、第２ヒンジ部１２を軸にして蓋部２を１８０°回転させ、再び、蓋部２を閉じた状態で（後述する図３（ｃ）または同図（ｄ））、第１スピーカ５の直下となる位置に配置されている。したがって、この折り畳み状態において第２磁気センサ２９は、第１スピーカ５が有する磁気回路の磁気を検出することが可能となり、この磁気の検出の有無を出カする。言い換えると、第２磁気センサ２９が磁気を検出している場合には、表示部６を外側に向けて、かつ蓋部２を閉じた状態であることが分かるようになっている。さらに、第１磁気センサ２８および第２磁気センサ２９のいずれも磁気を検出していない場合には、図１（ａ）に示すように、蓋部２を開いた状態にあることが分かるようになっている。
【００２５】
また、図２は、蓋を閉じた状態における携帯電話１の正面、および各側面を示す外観図である。図２（ａ）は、携帯電話１の蓋を閉じた状態（蓋側）を示し、図２（ｂ）は、同図（ａ）のＣ方向から見た側面を示し、図２（ｃ）は、同図（ａ）のＢ方向から見た側面を示し、図２（ｄ）は、同図（ａ）のＣ方向から見た側面を示し、図２（ｄ）は、同図（ａ）のＤ方向から見た側面を示している。
【００２６】
本体部３は、その一方の側部に、第１サイドキー９０、第２サイドキー９１、シャッターキー９２を備える。第１サイドキー９０は、待受け状態でマナーキーとして機能する。第２サイドキー９１は、メモキーとして機能する。シャッターキー９２は、蓋部２を閉じた状態でのカメラモードでシャッターキーとして機能する。また、本体部３は、その他方の側部に、クレイドル用コネクタ３２、メモリカードスロット（カバー）３３を備える。クレイドル用コネクタ３２は、携帯電話を横向きにクレイドル、すなわち充電台を兼ねた設置台に設置した際に、設置台からの電力で図示しないバッテリを充電するためのものである。メモリカードスロット３３には、ＳＤカードなどの記録媒体が装着される。
【００２７】
次に、図３は、本実施形態による携帯電話１を使用する場合の利用形態を示す模式図である。本実施形態による携帯電話１は、図３（ａ）に示すように、蓋部２を開いて、表示部６を縦長表示位置とした状態で使用する通常モードと、該状態から蓋部２を、第２ヒンジ部１２を介して回転軸βで１８０°回転させ、さらに、図３（ｂ）に示すように、蓋部２を第１ヒンジ部１００の可動部１０１を介して回転軸αで回転させて折り畳んで図３（ｃ）に示す状態とし、その後、携帯電話１を図３（ｃ）に示す矢印方向に回転させて、図３（ｄ）に示すように、表示部６を横長表示位置とした状態で使用するビューワモードとを備えている。すなわち、通常モードでは、縦長表示位置にある表示部６で見やすいように画像や動画、文字情報などをレイアウトし、ビューワモードでは、横長表示位置にある表示部６で見やすいように画像や動画、文字情報などをレイアウトする。携帯電話１が図３（ａ）に示す縦長表示位置と、図３（ｄ）に示す横長表示位置との状態変位は、前述したように、第１磁気センサ２８と第２磁気センサ２９の磁気検出の有無によって検知することができる。
【００２８】
次に、図４は、本実施形態による携帯電話１を充電台（クレイドル）に設置する手順、および状態を示す模式図である。図４（ａ）に示す充電台２００には、携帯電話１を設置すると、ちょうど、クレイドル用コネクタ３２が嵌合する位置にコネクタ２０１が設けられている。前述したように、携帯電話１の表示部６を露出させて横長表示位置とした状態（図３（ｄ）参照）で、図４（ｂ）に示すように、携帯電話１を充電台２００に設置すると、クレイドル用コネクタ３２とコネクタ２０１とが嵌合するとともに、図４（ｃ）に示すように、携帯電話１を横長表示位置で支持するようになっている。このとき、携帯電話１は、充電台２００に設置されたことを検知するようになっている。本実施形態では、図３（ａ）に示すように、表示部６が縦長位置の状態、ならびに、図３（ｄ）に示すように、表示部６が横長位置の状態、さらには、図４（ｃ）に示すように、充電台２００に設置された状態で、表示部６にカレンダや時計などの各種情報とともに、画像データをスライドショー表示するようになっている。
【００２９】
図５は、本実施形態による携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００３０】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００３１】
なお、内蔵アンテナ１６とメインアンテナ１１は、蓋部２を回動させた状態であっても、閉じた状態であっても、スペースダイバーシチ受信を行うのに有効な位置関係にある。
【００３２】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は、２つの制御部を傭えており、通信処理全般については第１制御部２０、その他、撮影処理、画像処理、および、映像の再生処理に関しては後述の第２制御部２２で行う。
【００３３】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００３４】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また、２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００３５】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より串力される符号変調された信号をほぼ同時にＱＡＭ系方式のデジタル信号に復号、合成して、インターフェイス処理部２０４を介してバス２００に出カするプログラムを記憶する。
【００３６】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチＳＷは、第２制御部２２からの制御により、ムービー再生モードにおいては、ムービーファイルに格納されるオーディオデータがステレオ対応である場合、第２スピーカ７Ｒ、第３スピーカ７Ｌの両方にオーディオ信号を出力する。第２スピーカ７Ｌは、報知ドライバ２６によっても駆動され、着信報知音を発生する。
【００３７】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。特に、本実施形態では、第２制御部２２は、携帯電話１の状態（横長表示位置、縦長表示位置、充電台設置）に応じて、記録されている画像を順次切り換えて表示するスライドショー表示、該スライドショー表示の際のスライド表示タイプ（フォトスタンドモード、フォトカレンダモード、フォト置時計モード）の判別、該判別結果に従う対応情報の表示制御を行う。なお、本実施の形態においては、携帯電話機能による着信割り込み時において上述の第１制御部２０との並行処理が可能だが、これらの処理に伴うバスへのアドレス／データの割り込み処理については、インターフェイス処理部２０４が行うものとする。
【００３８】
プログラムＲＯＭ２３は、ムービー再生モード、カメラモード等の各処理プログラムを格納する。ＲＡＭ２４は、データ通信処理や、音声通信において必要とされる各種データを記憶する。詳細には、電話番号、メールアドレス、住所などからなるアドレス帳データ、メール通信により送受信されるメールデータ、メールに添付された画像（静止画、動画）、カメラモードにより撮影された画像（静止画、動画）、ネットワーク接続により受信したマルチメディアファイル（イラスト、静止画、動画、音声など）、カレンダ画像、置時計画像などが記憶されている。
【００３９】
次に、圧縮伸張処理部２５は、ＭＰＥＧ−２、−４に対応し、カメラモードにて撮影された静止画／動画を圧縮処理するとともに、ムービー再生モードにおけるデータ通信モードによりダウンロ−ドしたムービーファイルや、カメラモードにおける静止画／動画を伸張処理する。
【００４０】
報知ドライバ２６は、着信処理を検出した際、これを報知せしめるために報知用ＬＥＤ１３、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。第１磁気センサ２８および第２磁気センサ２９は、前述したように第１スピーカ５が有する磁気回路の磁気を検出し、第２制御部２２へ検出信号を供給する。
【００４１】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００４２】
クレイドル用コネクタ３２は、クレイドル、すなわち充電台２００に設置した際に、設置台からの電力で２次電池４０を充電するためのものであり、コネクタインターフェース３１を介してバスに接続されている。メモリカードスロット３３０（３３）には、ＳＤカードなどの記録媒体３３１が装着される。表示ドライバ６１は、表示バッファ６２に一時的に格納される表示データを表示部６に表示制御する。
【００４３】
Ｂ．実施形態の動作
次に、上述した実施形態の動作について説明する。ここで、図６ないし図９は、本実施形態による携帯電話１の動作を説明するためのフローチャートである。また、図１０は、フォトスタンドモード時の表示例を示す模式図である。図１１は、フォトカレンダモード時の表示例を示す模式図である。また、図１２は、フォト置時計モード時の表示例を示す模式図である。
【００４４】
携帯電話１では、待受モードにおいて、音声着信があったか否かを判断し（ステップＳ１０）、音声着信があった場合には、音声着信を報知ドライバ２６によりスピーカ７Ｌまたは報知ＬＥＤ１３により報知する（ステップＳ１２）。次いで、通話キー（オフフックキー８７）が押下されたか否かを判断し（ステップＳ１４）、押下されなければ、ステップＳ１０へ戻る。
【００４５】
一方、通話キー（オフフックキー８７）が押下された場合には、音声通話を行う通話モードへ移行し（ステップＳ１６）、音声通話を行う（ステップＳ１８）。通話中は、オンフックキー８９の押下により通話が終了したか否かを判断し（ステップＳ２０）、通話が終了していない場合には、ステップＳ１８で通話を継続する。一方、オンフックキー８９の押下により通話が終了した場合には、ステップＳ１０へ戻る。
【００４６】
次に、音声着信がない場合には、いずれかのキー操作があったか否かを判断し（ステップＳ２２）、いずれかのキー操作があった場合には、操作されたキーに対応する処理を行う（ステップＳ２４）。その後、ステップＳ１０へ戻る。
【００４７】
また、音声着信およびいずれかのキー操作もない場合には、充電台２００にセットされたか否かを判断する（ステップＳ２６）。そして、充電台２００にセットされている場合には、図４（ｄ）に示すように表示部６が横長表示位置となっているので、横フラグをセットする（ステップＳ２８）。その後、ステップＳ３４へ進む。
【００４８】
一方、充電台２００にセットされていない場合には、所定時間放置されたか否かを判断し（ステップＳ３０）、所定時間放置されていない場合には、ステップＳ１０へ戻る。これに対して、所定時間放置されていた場合には、図２（ａ）に示すように、表示部６が縦長表示位置（通常モード）となっていると判断し、縦フラグをセットする（ステップＳ３２）。その後、ステップＳ３４へ進む。
【００４９】
次に、インテリア機能の設定状態を判別する（ステップＳ３４）。本実施形態では、インテリア機能として、記録されている画像、特に撮影された画像をスライドショー表示するフォトスタンド、当月のカレンダとともに、記憶されている画像、特に撮影された画像をスライドショー表示するフォトカレンダ、および現在の時刻とともに、記憶されている画像、特に撮影された画像をスライドショー表示する置時計が用意されている。
【００５０】
そして、インテリア機能の設定がフォトスタンドに設定されているか否かを判断し（ステップＳ３６）、フォトスタンドに設定されていない場合には、フォトカレンダに設定されているか否かを判断する（ステップＳ３８）。そして、フォトカレンダに設定されている場合には、図７に示すステップＳ４０以降へ進む。また、フォトカレンダに設定されている場合には、図８に示すステップＳ６０以降へ進む。また、フォトスタンドにもフォトカレンダにも設定されていない場合には、置時計に設定されていると判断し、図９に示すステップＳ９０以降へ進む。
【００５１】
Ｂ−１．フォトスタンド
上述したように、インテリア機能がフォトスタンドに設定されている場合には、まず、スライド対象画像を検出する（ステップＳ４０）。ここで、スライド対象画像とは、ＲＡＭ２４に記録されている、撮影した画像や、メールに添付されていた画像、あるいはダウンロードした画像などが含まれる。なお、記録されている画像の中からユーザが予めスライド対象画像として選択するようにしてもよい。
【００５２】
スライド対象画像を検出すると、次に、縦フラグがセットされているか否かを判断する（ステップＳ４２）。そして、前述したステップＳ３２で縦フラグがセットされている場合、言い換えると、図２（ａ）に示すように、表示部６が縦長表示位置（通常モード）となっている場合には、読み出した画像を表示部６の縦長サイズに調整してセットする（ステップＳ４４）。一方、縦フラグがセットされていない場合、すなわち、前述したステップＳ２８で横フラグがセットされている場合、言い換えると、現在、図４（ｄ）に示すように、充電台２００にセットされ、表示部６が横長表示位置（ビューワモード）になっている場合には、読み出した画像を９０度回転して表示部６の横長サイズに調整してセットする（ステップＳ４６）。
【００５３】
いずれの場合も、読み出した画像を表示部６で切換表示する（ステップＳ４８）。ここで、切換表示とは、既に表示されている画像を下方へスライドさせつつ、上側から次の画像をスライドさせて、表示画像を切り換える手法である。次に、スライド対象になっている全画像を表示したか否かを判断し（ステップＳ５０）、全画像を表示していない場合には、何からかのキー操作または充電台２００から取り外されたか否かを判断し（ステップＳ５４）、いずでもない場合には、ステップＳ４０へ戻り、次のスライド対象画像を検出し、表示部６が縦長表示位置（通常モード）となっている場合には、ステップＳ４４で、読み出した画像を表示部６の縦長サイズに調整し、表示部６が横長表示位置（ビューワモード）になっている場合には、ステップＳ４６で、読み出した画像を９０度回転して表示部６の横長サイズに調整して、ステップＳ４８で、画像を表示部６で切換表示する。
【００５４】
ここで、図１０（ａ）は、表示部６が縦長表示位置（通常モード）となっている場合におけるフォトスタンドでの画像表示例を示す模式図であり、同図（ｂ）は、充電台２００にセットされ、表示部６が横長表示位置（ビューワモード）になっている場合におけるフォトスタンドでの画像表示例を示す模式図である。
【００５５】
いずれの場合においても、既に表示されているスライド対象の画像（Ａ）が下方へスライドしつつ、上側から次の画像（Ｂ）をスライドさせて、表示画像を切り換えている。スライド対象画像は、図１０（ａ）に示す場合には、表示部６の縦長サイズに調整されており、同図（ｂ）に示す場合には、９０度回転して表示部６の横長サイズに調整されている。なお、いずれの場合においても、画像の下部には、メール着信などをメッセージで報知するメッセージ表示領域３００が設けられている。
【００５６】
そして、全画像を表示した場合には、最初のスライド対象画像を再び読み出し（ステップＳ５２）、上述したスライドショー表示を繰り返す。以下、何からかのキー操作または充電台２００から取り外されるまで、上述した画像のスライドショー表示を継続する。そして、何からかのキー操作または充電台２００から取り外されると、スライドショー表示を中止し（ステップＳ５６）、図６のステップＳ１０へ戻る。
【００５７】
Ｂ−２．フォトカレンダ
上述したように、インテリア機能がフォトカレンダに設定されている場合には、まず、当月のカレンダを検出し（ステップＳ６０）、スライド対象画像を検出すると、次に、縦フラグがセットされているか否かを判断する（ステップＳ６２）。そして、前述したステップＳ３２で縦フラグがセットされている場合、言い換えると、現在、図２（ａ）に示すように、表示部６が縦長表示位置（通常モード）となっている場合には、読み出したカレンダを表示部６の上半分エリアにセットする（ステップＳ６４）。一方、縦フラグがセットされていない場合、すなわち、前述したステップＳ２８で横フラグがセットされている場合、言い換えると、図４（ｄ）に示すように、充電台２００にセットされ、表示部６が横長表示位置（ビューワモード）になっている場合には、読み出したカレンダを９０度回転して表示部６の上半分にセットする（ステップＳ６６）。
【００５８】
いずれの場合も、次に、スライド対象画像を検出し（ステップＳ６８）、再度、縦フラグがセットされているか否かを判断する（ステップＳ７０）。そして、縦フラグがセットされている場合、すなわち、現在、図２（ａ）に示すように、表示部６が縦長表示位置（通常モード）となっている場合には、読み出した画像を表示部６の下半分エリアにセットする（ステップＳ７２）。一方、縦フラグがセットされていない場合、すなわち、図４（ｄ）に示すように、充電台２００にセットされ、表示部６が横長表示位置（ビューワモード）になっている場合には、読み出した画像を９０度回転して表示部６の下半分にセットする（ステップＳ７４）。
【００５９】
いずれの場合も、次に、読み出した画像を表示部６で切換表示する（ステップＳ７６）。次に、何からかのキー操作または充電台２００から取り外されたか否かを判断し（ステップＳ７８）、いずでもない場合には、ステップＳ６８へ戻り、次のスライド対象画像を検出し、表示部６が縦長表示位置（通常モード）となっている場合には、ステップＳ７２で、読み出した画像を表示部６の下半分にセットし、表示部６が横長表示位置（ビューワモード）になっている場合には、ステップＳ７４で、読み出した画像を９０度回転して表示部６の下半分にセットし、ステップＳ７６で、表示部６の下半分で画像を切換表示する。
【００６０】
ここで、図１１（ａ）は、表示部６が縦長表示位置（通常モード）となっている場合にカレンダとともに画像をスライドショー表示する表示例を示す模式図であり、同図（ｂ）は、充電台２００にセットされ、表示部６が横長表示位置（ビューワモード）になっている場合にカレンダとともに画像をスライドショー表示する表示例を示す模式図である。
【００６１】
表示部６が縦長表示位置（通常モード）となっている場合には、図１１（ａ）に示すように、縦長表示位置の表示部６の上半分にカレンダが表示され、表示部６の下半分にスライド対象の画像がスライドショー表示される。同様に、充電台２００にセットされ、表示部６が横長表示位置（ビューワモード）になっている場合には、図１１（ｂ）に示すように、横長表示位置の表示部６の右半分（すなわち縦位置における上半分）にカレンダが表示され、表示部６の左半分（すなわち縦位置における下半分）にスライド対象の画像がスライドショー表示される。
【００６２】
なお、いずれの場合においても、画像の下部には、メール着信などをメッセージで報知するメッセージ表示領域３００が設けられている。また、いずれの場合においても、カレンダと画像の表示位置は、入れ換え可能であり、例えば、決定キー８２が押下される度に切り換えるようにしてもよいし、あるいは予め設定しておくようにしてもよい。
【００６３】
以下、何からかのキー操作または充電台２００から取り外されるまで、上述したカレンダの表示と画像のスライドショー表示とを継続する。そして、何からかのキー操作または充電台２００から取り外されると、スライドショー表示を中止し（ステップＳ８０）、図６のステップＳ１０へ戻る。
【００６４】
Ｂ−３．置時計
上述したように、インテリア機能が置時計に設定されている場合には、まず、スライド対象画像を検出する（ステップＳ９０）。次に、縦フラグがセットされているか否かを判断する（ステップＳ６２）。そして、縦フラグがセットされている場合、すなわち、図２（ａ）に示すように、表示部６が縦長表示位置（通常モード）となっている場合には、読み出した画像を表示部６の下半分エリアにセットする（ステップＳ９４）。一方、縦フラグがセットされていない場合、すなわち、図４（ｄ）に示すように、充電台２００にセットされ、表示部６が横長表示位置（ビューワモード）になっている場合には、読み出した画像を９０度回転して表示部６の下半分にセットする（ステップＳ９６）。
【００６５】
次に、いずれの場合も、現在時刻（時分秒）を読み出し（ステップＳ９８）、現在時刻の時計画像を表示部６の上半分にセットする（ステップＳ１００）。そして、読み出した画像および時計画像を表示部６で表示する（ステップＳ１０２）。
【００６６】
ここで、図１２（ａ）は、表示部６が縦長表示位置（通常モード）となっている場合に時計画像とともに画像をスライドショー表示する表示例を示す模式図であり、同図（ｂ）は、充電台２００にセットされ、表示部６が横長表示位置（ビューワモード）になっている場合に時計画像とともに画像をスライドショー表示する表示例を示す模式図である。
【００６７】
表示部６が縦長表示位置（通常モード）となっている場合には、図１２（ａ）に示すように、縦長表示位置の表示部６の上半分に時計画像が表示され、表示部６の下半分にスライド対象の画像がスライドショー表示される。同様に、充電台２００にセットされ、表示部６が横長表示位置（ビューワモード）になっている場合には、図１２（ｂ）に示すように、横長表示位置の表示部６の右半分（すなわち縦位置における上半分）に時計画像が表示され、表示部６の左半分（すなわち縦位置における下半分）にスライド対象の画像がスライドショー表示される。
【００６８】
なお、いずれの場合においても、画像の下部には、メール着信などをメッセージで報知するメッセージ表示領域３００が設けられている。また、いずれの場合においても、時計画像と画像の表示位置は、入れ換え可能であり、例えば、決定キー８２が押下される度に切り換えるようにしてもよいし、あるいは予め設定しておくようにしてもよい。さらに、図示の例では、時計画像がアナログ時計による表記であるが、デジタル表記であってもよい。
【００６９】
次に、何からかのキー操作または充電台２００から取り外されたか否かを判断し（ステップＳ１０４）、いずでもない場合には、１秒経過したか否かを判断し（ステップＳ１０６）、何からかのキー操作または充電台２００から取り外されるか、１秒経過するまで待機する。
【００７０】
一方、１秒経過した場合には、スライド切換時間が経過したか否かを判断する（ステップＳ１０８）。ここで、スライド切換時間とは、１つの画像に対する表示時間であり、例えば、３秒とか、５秒などである。そして、スライド経過時間が経過していない場合には、ステップＳ９８へ戻り、現在時刻を更新し、更新した現在時刻の時計画像を表示部６の上半分に表示する（ステップＳ９８〜Ｓ１０２）。
【００７１】
一方、スライド経過時間が経過した場合には、ステップＳ９０へ戻り、画像を次のスライド対象画像に更新するとともに、現在時刻を更新し、次の画像と更新した現在時刻の時計画像を表示部６で表示する。以下、何からかのキー操作または充電台２００から取り外されるまで、上述した時計画像の表示と画像のスライドショー表示とを継続する。そして、何からかのキー操作または充電台２００から取り外されると、スライドショー表示を中止し（ステップＳ１１０）、図６のステップＳ１０へ戻る。
【００７２】
上述した実施形態によれば、縦長表示画面を有し、縦長表示位置と横長表示位置との切り換えが可能な表示部６が縦長表示位置にあるときには、縦長方向で上下に分けて画像をスライドショー表示するとともに、当月のカレンダもしくは現在の日時を表す時計画像を表示し、表示部６が横長表示位置にあるときには、横長方向で左右に分けて画像スライドショー表示するとともに、当月のカレンダもしくは現在の日時を表す時計画像を表示するようにしたので、より高いスライドショー表示が可能となる。
【００７３】
なお、上述した実施形態においては、携帯電話に適用した実施例について説明したが、これに限らず、少なくとも画像を表示する機能を有したマルチメディア端末などに適用するようにしてもよい。
【図面の簡単な説明】
【００７４】
【図１】本発明の実施形態に係る携帯電話１の蓋を開いた状態と閉じた状態の正面図に相当する外観図である。
【図２】本実施形態に係る携帯電話１の蓋を閉じた状態における携帯電話１の正面、および各側面を示す外観図である。
【図３】本実施形態による携帯電話１を使用する場合の利用形態を示す模式図である。
【図４】本実施形態による携帯電話１を充電台（クレイドル）に設置する手順、および状態を示す模式図である。
【図５】本実施形態による携帯電話１の回路構成を示すブロック図である。
【図６】本実施形態による携帯電話１の動作を説明するためのフローチャートである。
【図７】本実施形態による携帯電話１の動作を説明するためのフローチャートである。
【図８】本実施形態による携帯電話１の動作を説明するためのフローチャートである。
【図９】本実施形態による携帯電話１の動作を説明するためのフローチャートである。
【図１０】フォトスタンドモード時の表示例を示す模式図である。
【図１１】フォトカレンダモード時の表示例を示す模式図である。
【図１２】フォト置時計モード時の表示例を示す模式図である。
【符号の説明】
【００７５】
１  携帯電話（携帯型情報処理装置）
２  蓋部
３  本体部
５  第１スピーカ
６  表示部（表示手段）
７Ｒ  第２スピーカ
７Ｌ  第３スピーカ
８  キー入力部
１０  マイク
１１  メインアンテナ
１２  第２ヒンジ部
１３  報知用ＬＥＤ
１６  内蔵アンテナ
１７  撮像レンズ
１８  受信信号処理部
１９  通信信号処理部
２０  第１制御部
２２  第２制御部（表示制御手段、付加情報判別手段）
２３  プログラムＲＯＭ
２４  ＲＡＭ（記憶手段）
２７  スイッチ処理部
２８  第１磁気センサ
２９  第２磁気センサ
３１  コネクタインターフェース
ＳＷ  スイッチ
４０  ２次電池
６１  表示ドライバ（表示制御手段）
６２  表示バッファ
９０  第１サイドキー
９１  第２サイドキー
９２  シャッターキー
１００  第１ヒンジ部
２０１  スイッチ回路
２０２  通信データ処理部
２０３  システムＲＯＭ
２０５  音声処理部
２０６  スイッチ回路
２０７  オーデイオアンプ
３３０  メモリカードスロット
３３１  カード媒体
【図１】
2006078750.tif 000003
【図２】
2006078750.tif 000004
【図３】
2006078750.tif 000005
【図４】
2006078750.tif 000006
【図５】
2006078750.tif 000007
【図６】
2006078750.tif 000008
【図７】
2006078750.tif 000009
【図８】
2006078750.tif 000010
【図９】
2006078750.tif 000011
【図１０】
2006078750.tif 000012
【図１１】
2006078750.tif 000013
【図１２】
2006078750.tif 000014